(57)【特許請求の範囲】
【請求項１】
雨水や川の水を収集する高地に設置された収集タンクに接続する貯蔵タンクを収集タンクの下位の地上、地中もしくは水中（海中）の複数個所に分散配置し、この貯蔵タンクに接続する排出タンクを貯蔵タンクの下位の地上、地中もしくは水中（海中）の複数個所に分散配置し、これら配置した収集タンクと排出タンクの高低差により発生する圧力によって排出タンクより需要者に水を供給することを特徴とする貯水構造。
【請求項２】
雨水や川の水を収集する高地に設置された収集タンクに接続する貯蔵タンクを収集タンクの下位の地上、地中もしくは水中（海中）の複数個所に分散配置し、この貯蔵タンクに流量調整バルブを介して接続する排出タンクを貯蔵タンクの下位の地上、地中もしくは水中（海中）の複数個所に分散配置し、これら配置した収集タンクと排出タンクの高低差により発生する圧力によって排出タンクより需要者に水を供給することを特徴とする貯水構造。
【請求項３】
雨水や川の水を収集する高地に設置された収集タンクの下位に濾過タンクを接続配置し、この濾過タンクに接続する貯蔵タンクを濾過タンクの下位の地上、地中もしくは水中（海中）の複数個所に分散配置し、この貯蔵タンクに接続する排出タンクを貯蔵タンクの下位の地上、地中もしくは水中（海中）の複数個所に分散配置し、これら配置した収集タンクと排出タンクの高低差により発生する圧力によって排出タンクより需要者に水を供給することを特徴とする貯水構造。
【発明の詳細な説明】
【０００１】
【発明の属する技術分野】
本発明は、大規模な貯水構造に関する。
【０００２】
【従来の技術】
従来のダムによる貯水構造は、地表の広大な土地に建設され、河川から流れ込む水や雨水を一時的に貯蔵しているものである。
【０００３】
【発明が解決しようとする課題】
このようなダムによる貯水構造は、流れの急な河川から大量に流れ込む土石が短時間で堆積して本来の貯蔵量が保てなくなる問題があり、しかも貯水には非常に広大な面積を必要とする問題がある。
また、水の放出や給送には電力を利用するために停電時には水の供給が不可能となり、特に、地震等の天災が発生した緊急時には、水の供給が絶たれて飲料用水、生活用水、消火活動用水等の使用が不可能となり大きな社会的混乱を引き起こすという問題がある。
【０００４】
【課題を解決するための手段】
そこで本発明は、雨水や川の水を収集する高地に設置された収集タンクを設置し、この収集タンクに接続する貯蔵タンクを収集タンクの下位の地上、地中もしくは水中（海中）の複数個所に分散配置し、この貯蔵タンクに接続する排出タンクを貯蔵タンクの下位の地上、地中もしくは水中（海中）の複数個所に分散配置し、これら配置した収集タンクと排出タンクの高低差により発生する圧力によって排出タンクより需要者に水を供給することを特徴とする。
【０００５】
このような構成によると、山地からの水を収集タンクで収集した水を各貯蔵タンクに分割貯蔵し、この貯蔵タンクの水を各排出タンクに送出し、この排出タンクの水を高低差により生じる圧力により水を供給することができる。
【０００６】
【発明の実施の形態】
以下に本発明の実施の形態を図面を用いて説明する。
図１は説明図であり、図において、１は収集タンクであり、山地等の高地に設置されている。この収集タンク１は、素掘り周面を落石防止のネット等で被覆し、下部を防水材で覆った構造やコンクリート製や鉄製で内側にゴムや合成樹脂のような弾性膜材による防水ライニングを施した構造等であり、内部に必要に応じて濾過膜２を有する。
【０００７】
３は濾過タンクであり、必要に応じて設けるもので、上記収集タンク１の下位に１箇所もしくは必要に応じて複数箇所配置される。この濾過タンク３も、コンクリート製や鉄製で内側にゴムや合成樹脂のような弾性膜材による防水ライニングを施してあり、内部に必要に応じて濾過膜４を有する。
５は貯蔵タンクであり、上記濾過タンク３の下位になるように地上、地中もしくは水中（海中）に複数箇所配置される。この貯蔵タンク５は、図２および図３に示す如く、コンクリートや鉄等の剛性体製の分割された反力壁６の内側に弾性を有する膜材料による袋体７を内在させた構造である。
【０００８】
この袋体７の弾性を有する膜材料は、例えばゴムや合成樹脂のシートであり、さらにはそのようなシートの中に天然繊維、合成繊維、金属繊維等による布や金属板等を積層状態で埋設させたような弾性があってしかも延び性に強い材料がよい。
なお、この袋体７は中に水が入って圧力が上がると図３に示す如く膨張して反力壁６も移動してその分割部の隙間が拡がる。この隙間の間隔から袋体７の一部がはみ出して破裂するおそれがある場合は、上記袋体７の補強された材料と同様の材料かそれに準ずる弾性材等で厚さを厚くした補強材８をその隙間に該当する箇所に隙間より広い幅に設置する。
【０００９】
なお、水中に配置する場合にはその条件によっては以下に説明する排水タンクと同様のタンクでよい。
９は排出タンクであり、上記貯蔵タンク５の下位になるように地上、地中もしくは水中（海中）に複数箇所配置される。収集タンク１との高低差による圧力に耐えられる外圧力を受けることができる水深の海中や水中に設置するのが最適であるが地中でもよい。
【００１０】
この排出タンク９は、地中に設置される場合は、上記貯蔵タンク５と同様の構造とし、水中（海中）に配置される場合は、上記袋体７と同様の弾性を有する耐圧性の膜材料による袋体７がよい。
なお、排出タンク９の設置条件が、図４に示す如く、水深によりタンクに作用する外圧力Ｐa と収集タンク１との高低差により生じる内圧力Ｐb がほぼ等しくなるような箇所であればゴムや合成樹脂の単体による水密性のあるシートでもよい。
【００１１】
排出タンク９は、このように配置することにより、高低差により生じる圧力以上の水を貯蔵することは不可能であり、常に貯蔵タンク５から押圧された状態となっている。
なお、図において、１０は必要に応じて設ける濾過装置、１１は配管の途中に設けた流量調整バルブ、１２は必要い応じて設けた発電用のタービンであり、水力発電が可能となる。
【００１２】
以上の構成を有する本実施例によると、山地からの水を収集タンク１で収集して濾過タンク３に収納される。ここで濾過された水が分割配置された各貯蔵タンク４に貯蔵される。この貯蔵タンク５から流量調整バルブ１１を介して各排出タンク９に送出され、この排出タンク９の水は高低差により生じる圧力により特別の給水装置を設けなくても需要者に水を供給することができる。
【００１３】
【発明の効果】
以上詳細に説明した本発明によると、収集タンクとの高低差を利用して分散配置した排出タンクはその圧力差により、排出タンクより排出供給することができる効果を有する。
また、貯蔵タンクおよび排出タンクを複数に分けて分割配置することができるためにダムのように一箇所に大きな構造物を建設する必要がなく、しかも、地中や海中を利用することができるために地上に広大な収容面積を必要としない効果を有する。
【００１４】
さらに、各タンクを分散配置することができ、しかもその配置場所に応じた大きさのタンクとすることができるために配置場所の選択が容易となる効果がある。
また、ダムのように土石の堆積によって湖底が上がって貯水量が初期の量から減少するようなことがなく長期にわたって安定した水量を確保することができる効果を有する。
【図面の簡単な説明】
【図１】実施の形態を示す説明図
【図２】貯蔵タンクの断面図
【図３】使用状態の貯蔵タンクの断面図
【図４】水中に配置するタンクの説明図
【符号の説明】
１  収集タンク
２  濾過膜２
３  濾過タンク
４  濾過膜
５  貯蔵タンク
６  反力壁
７  袋体
８  補強材
９  排出タンク
１１  流量調整バルブ
【図１】
0003727696.tif 000002
【図２】
0003727696.tif 000003
【図３】
0003727696.tif 000004
【図４】
0003727696.tif 000005